(57)【要約】【課題】    本発明の目的は、熱ロスを防ぐようにした恒温室の筐体を提供するものである。【解決手段】    恒温室の筐体Ｃは、床パネル１と天井パネル２の間を正面側パネル３、右側パネル４、背面側パネル５、左側パネル６を有した恒温室の筐体Ｃであって、天井パネル２の正面側端面２Ａは、正面側パネル３で覆われ、正面側パネル３の上面３Ｓは、天井パネル２の上面２Ｓと同面であり、対向する天井パネル２の正面側端面２Ａと正面側パネル３の上方側裏面３Ａとの間には、正面側パネル３の裏面３Ａと天井パネル２の正面側端面２Ａとの間には、筐体Ｃの外方に向かう方向であって垂直方向に設けられた第１の外方垂直隙間部Ｘ、筐体Ｃの内方に向かう方向であって垂直方向に設けられた第１の内方垂直隙間部Ｙ、この第１の内方垂直隙間部Ｙと第１の外方垂直隙間部Ｘを接続する第１の中間隙間部Ｚが設けられているものである。【選択図】図３
2019132071.tif 000002
【特許請求の範囲】
【請求項１】
床パネルと天井パネルの間を正面側パネル、右側パネル、背面側パネル、左側パネルを有した恒温室の筐体であって、
前記天井パネルの正面側端面は、前記正面側パネルで覆われ、
前記正面側パネルの上面は、前記天井パネルの上面と同面であり、
対向する前記天井パネルの正面側端面と前記正面側パネルの上方側裏面との間には、前記筐体の外方に向かう方向であって垂直方向に設けられた第１の外方垂直隙間部、前記筐体の内方に向かう方向であって垂直方向に設けられた第１の内方垂直隙間部、この第１の内方垂直隙間部と前記第１の外方垂直隙間部を接続する第１の中間隙間部が設けられている
ことを特徴とする恒温室の筐体。
【請求項２】
床パネルと天井パネルの間を正面側パネル、右側パネル、背面側パネル、左側パネルを有した恒温室の筐体であって、
前記床パネルの正面側端面は、正面側パネルで覆われ、
前記正面側パネルの下面は、前記床パネルの下面と同面であり、
対向する前記床パネルの正面側端面と前記正面側パネルの下方側裏面との間には、前記筐体の外方に向かう方向であって垂直方向に設けられた第２の外方垂直隙間部、前記筐体の内方に向かう方向であって垂直方向に設けられた第２の内方垂直隙間部、この第２の内方垂直隙間部と前記第２の外方垂直隙間部を接続する第２の中間隙間部が設けられている
ことを特徴とする恒温室の筐体。
【請求項３】
床パネルの正面側端面は、正面側パネルで覆われ、
前記正面側パネルの下面は、前記床パネルの下面と同面であり、
対向する前記床パネルの正面側端面と前記正面側パネルの下方側裏面との間には、前記筐体の外方に向かう方向であって垂直方向に設けられた第２の外方垂直隙間部、前記筐体の内方に向かう方向であって垂直方向に設けられた第２の内方垂直隙間部、この第２の内方垂直隙間部と前記第２の外方垂直隙間部を接続する第２の中間隙間部が設けられている
ことを特徴とする請求項１記載の恒温室の筐体。
【発明の詳細な説明】
【技術分野】
【０００１】
本発明は、恒温室の筐体に係り、特に、熱ロスを防ぐようにした恒温室の筐体に関する。
【背景技術】
【０００２】
従来、例えば、 図４乃至図６に示す恒温室の筐体Ｃ’がある。この恒温室の筐体Ｃ’は、床パネル１’と天井パネル２’の間に正面側パネル３’、右側パネル（図示せず）、背面側パネル（図示せず）、左側パネル６’を有し、正面側パネル３’の上端面３’Ａに天井パネル２’の下面２’Ａが対向している。
なお、図４に示すＤ’は、筐体Ｃ’の開口部（図示せず）を開閉する扉であり、図５に示す４’は、天井パネル２’と正面側パネル３’とを結合するボルトであり、５’は、床パネル１’と正面側パネル３’とを結合するボルトであり、１０’は、恒温室の筐体Ｃ’を載置するベース架台である。
【発明の概要】
【発明が解決しようとする課題】
【０００３】
しかしながら、上記の恒温室の筐体Ｃ’にあっては、正面側パネル３’の上端面３’Ａに天井パネル２’の下面２’Ａが対向しているため、対向部位は略水平方向で、正面側パネル３’の略厚み分しか設けていないため、熱ロスが生じるという問題点があった。
また、上記の恒温室の筐体Ｃ’にあっては、正面側パネル３’の上端面３’Ａに天井パネル２’の下面２’Ａが対向しているため、正面視、天井パネル２’の厚みが見え、外観上、好ましくないという問題点もあった。
【０００４】
本発明は、上記事情を考慮してなされた恒温室の筐体を提供することを目的とする。
【課題を解決するための手段】
【０００５】
請求項１記載の恒温室の筐体は、床パネルと天井パネルの間を正面側パネル、右側パネル、背面側パネル、左側パネルを有した恒温室の筐体であって、前記天井パネルの正面側端面は、前記正面側パネルで覆われ、前記正面側パネルの上面は、前記天井パネルの上面と同面であり、対向する前記天井パネルの正面側端面と前記正面側パネルの上方側裏面との間には、前記筐体の外方に向かう方向であって垂直方向に設けられた第１の外方垂直隙間部、前記筐体の内方に向かう方向であって垂直方向に設けられた第１の内方垂直隙間部、この第１の内方垂直隙間部と前記第１の外方垂直隙間部を接続する第１の中間隙間部が設けられているものである。
【０００６】
また、請求項２記載の恒温室の筐体は、床パネルと天井パネルの間を正面側パネル、右側パネル、背面側パネル、左側パネルを有した恒温室の筐体であって、前記床パネルの正面側端面は、正面側パネルで覆われ、前記正面側パネルの下面は、前記床パネルの下面と同面であり、対向する前記床パネルの正面側端面と前記正面側パネルの下方側裏面との間には、前記筐体の外方に向かう方向であって垂直方向に設けられた第２の外方垂直隙間部、前記筐体の内方に向かう方向であって垂直方向に設けられた第２の内方垂直隙間部、この第２の内方垂直隙間部と前記第２の外方垂直隙間部を接続する第２の中間隙間部が設けられているものである。
【０００７】
また、請求項３記載の恒温室の筐体は、請求項１記載の恒温室の筐体において、床パネルの正面側端面は、正面側パネルで覆われ、前記正面側パネルの下面は、前記床パネルの下面と同面であり、対向する前記床パネルの正面側端面と前記正面側パネルの下方側裏面との間には、前記筐体の外方に向かう方向であって垂直方向に設けられた第２の外方垂直隙間部、前記筐体の内方に向かう方向であって垂直方向に設けられた第２の内方垂直隙間部、この第２の内方垂直隙間部と前記第２の外方垂直隙間部を接続する第２の中間隙間部が設けられているものである。
【発明の効果】
【０００８】
請求項１記載の恒温室の筐体によれば、対向する前記天井パネルの正面側端面と前記正面側パネルの上方側裏面との間には、筐体の外方に向かう方向であって垂直方向に設けられた第１の外方垂直隙間部、前記筐体の内方に向かう方向であって垂直方向に設けられた第１の内方垂直隙間部、この第１の内方垂直隙間部と前記第１の外方垂直隙間部を接続する第１の中間隙間部が設けられているため、正面側パネルの上方側裏面と天井パネルの正面側端面との間の接合距離を長くとると共に、第１の内方垂直隙間部と第１の外方垂直隙間部を接続する第１の中間隙間部を設け、前記接合距離の中間に屈曲部を設けて、熱ロスを防ぎ、しかも、正面側パネルと天井パネルとの境部分を正面側パネルで隠して、恒温室の筐体のデザイン性をも向上させることができる。
【０００９】
また、請求項２記載の恒温室の筐体によれば、対向する前記天井パネルの正面側端面と前記正面側パネルの下方側裏面との間には、筐体の外方に向かう方向であって垂直方向に設けられた第２の外方垂直隙間部、前記筐体の内方に向かう方向であって垂直方向に設けられた第２の内方垂直隙間部、この第２の内方垂直隙間部と前記第２の外方垂直隙間部を接続する第２の中間隙間部が設けられているため、正面側パネルの下方側裏面と床パネルの正面側端面との間の接合距離を長くとると共に、第２の内方垂直隙間部と第２の外方垂直隙間部を接続する第２の中間隙間部を設け、前記接合距離の中間に屈曲部を設けて、熱ロスを防ぐことができ、しかも、正面側パネルと床パネルとの境部分を正面側パネルで隠して、恒温室の筐体のデザイン性をも向上させることができる。
【００１０】
また、請求項３記載の恒温室の筐体によれば、上述した請求項１記載の発明の効果に加え、対向する前記天井パネルの正面側端面と前記正面側パネルの下方側裏面との間には、筐体の外方に向かう方向であって垂直方向に設けられた第２の外方垂直隙間部、前記筐体の内方に向かう方向であって垂直方向に設けられた第２の内方垂直隙間部、この第２の内方垂直隙間部と前記第２の外方垂直隙間部を接続する第２の中間隙間部が設けられているため、正面側パネルの下方側裏面と床パネルの正面側端面との間の接合距離を長くとると共に、第２の内方垂直隙間部と第２の外方垂直隙間部を接続する第２の中間隙間部を設け、前記接合距離の中間に屈曲部を設けて、熱ロスを防ぐことができ、しかも、正面側パネルと床パネルとの境部分を正面側パネルで隠して、恒温室の筐体のデザイン性をも向上させることができる。
【図面の簡単な説明】
【００１１】
【図１】図１は、本発明の一実施例の恒温室の筐体の概略的斜視図である。
【図２】図２は、図１の概略的断面図である。
【図３】図３は、図２を拡大して示す概略的拡大断面図である。
【図４】図４は、従来の恒温室の筐体の概略的斜視図である。
【図５】図５は、図４の概略的断面図である。
【図６】図６は、図５を拡大して示す概略的拡大断面図である。
【発明を実施するための形態】
【００１２】
本発明の一実施例の恒温室の筐体を図面（図１乃至図３）を参照して説明する。
図１に示すＣは恒温室の筐体で、恒温室の筐体Ｃは、床パネル１と天井パネル２の間を正面側パネル３、右側パネル（図示せず）、背面側パネル（図示せず）、左側パネル６を有している。
床パネル１、天井パネル２、正面側パネル３、右側パネル（図示せず）、背面側パネル（図示せず）、左側パネル６は、例えば、−４０℃〜＋１５０℃において使用に耐えるもので、これらパネル１、２、３、６、右側パネル（図示せず）、背面側パネル（図示せず）は、それぞれ内装面材と外装面材との間に、フェノール樹脂発泡体等の断熱材が設けられている。
【００１３】
天井パネル２の正面側端面２Ａは、正面側パネル３で覆われ、正面側パネル３の上面３Ｓは、天井パネル２の上面２Ｓと同面となっている。
対向する天井パネル２の正面側端面２Ａと正面側パネル３の上方側裏面３Ａとの間には、筐体Ｃの外方に向かう方向であって垂直方向に設けられた第１の外方垂直隙間部Ｘ、筐体Ｃの内方に向かう方向であって垂直方向に設けられた第１の内方垂直隙間部Ｙ、この第１の内方垂直隙間部Ｙと第１の外方垂直隙間部Ｘを接続する第１の中間隙間部Ｚが設けられている。
【００１４】
また、第１の外方垂直隙間部Ｘに第１の外方断熱材７が設けられ、第１の内方垂直隙間部Ｙに第１の内方断熱材８が設けられている。第１の外方断熱材７、第１の内方断熱材８は、例えば、シリコンチューブであるが、場合により、第１の外方断熱材７、第１の内方断熱材８を設けなくても良い。
なお、図１に示すＤは、筐体Ｃの開口部（図示せず）を開閉する扉であり、図３に示す４は、天井パネル２と正面側パネル３とを結合するボルトであり、５は、床パネル１と正面側パネル３とを結合するボルトであり、１０は、恒温室の筐体Ｃを載置するベース架台である。
【００１５】
上述した恒温室の筐体Ｃによれば、対向する天井パネル２の正面側端面２Ａと正面側パネル３の上方側裏面３Ａとの間には、筐体Ｃの外方に向かう方向であって垂直方向に設けられた第１の外方垂直隙間部Ｘ、筐体Ｃの内方に向かう方向であって垂直方向に設けられた第１の内方垂直隙間部Ｙ、この第１の内方垂直隙間部Ｙと第１の外方垂直隙間部Ｘを接続する第１の中間隙間部Ｚが設けられ、第１の外方垂直隙間部Ｘに第１の外方断熱材７が設けられ、第１の内方垂直隙間部Ｙに第１の内方断熱材８が設けられているため、正面側パネル３の上方側裏面３Ａと天井パネル２の正面側端面２Ａとの間の接合距離を長くとると共に、第１の内方垂直隙間部Ｙと第１の外方垂直隙間部Ｘを接続する第１の中間隙間部Ｚを設け、接合距離の中間に屈曲部を設けて、熱ロスを防ぎ、しかも、正面側パネル３と天井パネル２との境部分を正面側パネル３で隠して、恒温室の筐体Ｃのデザイン性をも向上させることができる。
なお、第１の外方断熱材７、第１の内方断熱材８を設けない場合にあっては、対向する天井パネル２の正面側端面２Ａと正面側パネル３の上方側裏面３Ａとの間には、筐体Ｃの外方に向かう方向であって垂直方向に設けられた第１の外方垂直隙間部Ｘ、筐体Ｃの内方に向かう方向であって垂直方向に設けられた第１の内方垂直隙間部Ｙ、この第１の内方垂直隙間部Ｙと第１の外方垂直隙間部Ｘを接続する第１の中間隙間部Ｚが設けられているため、正面側パネル３の上方側裏面３Ａと天井パネル２の正面側端面２Ａとの間の接合距離を長くとると共に、第１の内方垂直隙間部Ｙと第１の外方垂直隙間部Ｘを接続する第１の中間隙間部Ｚを設け、接合距離の中間に屈曲部を設けて、熱ロスを防ぎ、しかも、正面側パネル３と天井パネル２との境部分を正面側パネル３で隠して、恒温室の筐体Ｃのデザイン性をも向上させることができる。
【００１６】
また、床パネル１の正面側端面１Ａは、正面側パネル３で覆われ、正面側パネル３の下面３Ｂは、床パネル１の下面１Ｂと同面となっている。
対向する床パネル１の正面側端面１Ａと正面側パネル３の下方側裏面３Ａ’との間には、筐体Ｃの外方に向かう方向であって垂直方向に設けられた第２の外方垂直隙間部Ｘ’、筐体Ｃの内方に向かう方向であって垂直方向に設けられた第２の内方垂直隙間部Ｙ’、この第２の内方垂直隙間部Ｙ’と第２の外方垂直隙間部Ｘ’を接続する第２の中間隙間部Ｚ’が設けらている。
【００１７】
また、第２の外方垂直隙間部Ｘ’に第２の外方断熱材７’が設けられ、第２の内方垂直隙間部Ｙ’に第２の内方断熱材８’が設けられている。第２の外方断熱材７’、第２の内方断熱材８’は、例えば、シリコンチューブであるが、場合により、第２の外方断熱材７’、第２の内方断熱材８’を設けなくても良い。
【００１８】
上述した恒温室の筐体Ｃによれば、対向する床パネル１の正面側端面１Ａと正面側パネル３の下方側裏面３Ａ’との間には、筐体Ｃの外方に向かう方向であって垂直方向に設けられた第２の外方垂直隙間部Ｘ’、筐体Ｃの内方に向かう方向であって垂直方向に設けられた第２の内方垂直隙間部Ｙ’、この第２の内方垂直隙間部Ｙ’と第２の外方垂直隙間部Ｘ’を接続する第２の中間隙間部Ｚ’が設けられ、第２の外方垂直隙間部Ｘ’に第２の外方断熱材７’が設けられ、第２の内方垂直隙間部Ｙ’に第２の内方断熱材８’が設けられているため、正面側パネル３の下方側裏面３Ａ’と床パネル１の正面側端面１Ａとの間の接合距離を長くとると共に、第２の内方垂直隙間部Ｙ’と第２の外方垂直隙間部Ｘ’を接続する第２の中間隙間部Ｚ’を設け、接合距離の中間に屈曲部を設けて、熱ロスを防ぐことができ、しかも、正面側パネル３と床パネル１との境部分を正面側パネル３で隠して、恒温室の筐体Ｃのデザイン性をも向上させることができる。
なお、第２の外方断熱材７’、第２の内方断熱材８’を設けない場合にあっては、対向する床パネル１の正面側端面１Ａと正面側パネル３の裏面３Ａ’との間には、筐体Ｃの外方に向かう方向であって垂直方向に設けられた第２の外方垂直隙間部Ｘ’、筐体Ｃの内方に向かう方向であって垂直方向に設けられた第２の内方垂直隙間部Ｙ’、この第２の内方垂直隙間部Ｙ’と第２の外方垂直隙間部Ｘ’を接続する第２の中間隙間部Ｚ’が設けられているため、正面側パネル３の下方側裏面３Ａ’と床パネル１の正面側端面１Ａとの間の接合距離を長くとると共に、第２の内方垂直隙間部Ｙ’と第２の外方垂直隙間部Ｘ’を接続する第２の中間隙間部Ｚ’を設け、接合距離の中間に屈曲部を設けて、熱ロスを防ぐことができ、しかも、正面側パネル３と床パネル１との境部分を正面側パネル３で隠して、恒温室の筐体Ｃのデザイン性をも向上させることができる。
【符号の説明】
【００１９】
Ｃ      筐体
１      床パネル
２      天井パネル
３      正面側パネル
４      右側パネル
５      背面側パネル
６      左側パネル
Ｘ      第１の外方垂直隙間部
Ｙ      第１の内方垂直隙間部
Ｚ      第１の中間隙間部
【図１】
2019132071.tif 000003
【図２】
2019132071.tif 000004
【図３】
2019132071.tif 000005
【図４】
2019132071.tif 000006
【図５】
2019132071.tif 000007
【図６】
2019132071.tif 000008